(57)【要約】【課題】施錠装置の構造を簡素化してコスト低減を図る。【解決手段】本発明に係るパチンコ機の施錠装置は、表枠３に装着されており、錠本体の解錠方向の力を受けて解錠方向にスライドする可動錠板４０と、表枠３に回動可能な状態で装着されており、可動錠板４０が解錠方向にスライドすることにより、その可動錠板４０の動作を受けて施錠位置から解錠方向に回動する係合爪２０と、ガラス枠５に装着されており、施錠位置にある係合爪２０が係合可能に構成されている被係合具３０とを有しており、係合爪２０には、その係合爪２０が施錠位置から解錠方向に回動する際、ガラス枠５を開方向に押圧可能な押圧部２４が設けられている。【選択図】      図１
2004194811.tif 000002
【特許請求の範囲】
【請求項１】
一方の枠に対して扉状に開閉可能に取付けられている他方の枠の解錠を行う際に、その他方の枠を開方向に押圧する押圧機構を備えるパチンコ機の施錠装置であって、
一方の枠に装着されており、錠本体の解錠方向の力を受けて解錠方向にスライドする可動錠板と、
一方の枠に回動可能な状態で装着されており、前記可動錠板が解錠方向にスライドすることにより、その可動錠板の動作を受けて施錠位置から解錠方向に回動する係合爪と、
他方の枠に装着されており、施錠位置にある前記係合爪が係合可能に構成されている被係合具とを有しており、
前記係合爪には、その係合爪が前記施錠位置から解錠方向に回動する際、他方の枠を開方向に押圧可能な押圧部が設けられていることを特徴とするパチンコ機の施錠装置。
【請求項２】
請求項１に記載されたパチンコ機の施錠装置であって、
他方の枠に装着されている被係合具には、係合爪の押圧部によって押圧される受け部が突出形成されていることを特徴とするパチンコ機の施錠装置。
【請求項３】
請求項１又は請求項２に記載されたパチンコ機の施錠装置であって、
係合爪は、被係合具との係合が解除されてから、さらに解錠方向に回動可能な構成であり、
前記係合爪の押圧部は、その係合爪と被係合具との係合が解除されてから、前記係合爪が解錠方向に回動する際に、他方の枠を開方向に押圧する構成であることを特徴とするパチンコ機の施錠装置。
【発明の詳細な説明】
【０００１】
【発明の属する技術分野】
本発明は、一方の枠に対して扉状に開閉可能に取付けられている他方の枠の解錠を行う際に、その他方の枠を開方向に押圧する押圧機構を備えるパチンコ機の施錠装置に関する。
【０００２】
【従来の技術】
これに関する従来のパチンコ機の施錠装置が特開２００２−３２７５６４号公報に示されている。
この施錠装置は、図６及び図７に示すように、表枠１８２に対して扉状に開閉可能に取付けられているガラス枠１８３の解錠を行う際に、そのガラス枠１８３を開方向に押圧する押圧機構１９６（図７（Ａ）（Ｂ）参照）を備えている。
押圧機構１９６は、バネ１９６ｂと押圧ピン１９６ｐとから構成されており、バネ１９６ｂの力で押圧ピン１９６ｐがガラス枠１８３を開方向に押圧可能なように表枠１８２に装着されている。
【０００３】
また、図８に示す押圧機構では、係合爪（図示されていない）を動作させる可動錠板７０に押出バー１２２が連結ピン１２５によって連結されており、その可動錠板７０が解錠方向（下方）にスライドする際に、押出バー１２２の先端が表枠１８２の表面１８２ｓから突出するように構成されている。これによって、ガラス枠１８３の解錠時に、そのガラス枠１８３が押出バー１２２の先端で押圧されるようになる。
【０００４】
【特許文献１】
特開２００２−３２７５６４号公報
【０００５】
【発明が解決しようとする課題】
しかし、上記したパチンコ機の施錠装置によると、押圧機構１９６，１２２を係合爪や可動錠板等とは別に設ける必要があるため、施錠装置の構造が複雑になるという問題がある。
本発明は、上記問題点に鑑みなされたものであり、施錠装置の構造を簡素化してコスト低減を図ることを目的とする。
【０００６】
【課題を解決するための手段】
上記した課題は、各請求項の発明によって解決される。
請求項１の発明は、一方の枠に対して扉状に開閉可能に取付けられている他方の枠の解錠を行う際に、その他方の枠を開方向に押圧する押圧機構を備えるパチンコ機の施錠装置であって、一方の枠に装着されており、錠本体の解錠方向の力を受けて解錠方向にスライドする可動錠板と、一方の枠に回動可能な状態で装着されており、前記可動錠板が解錠方向にスライドすることにより、その可動錠板の動作を受けて施錠位置から解錠方向に回動する係合爪と、他方の枠に装着されており、施錠位置にある前記係合爪が係合可能に構成されている被係合具とを有しており、前記係合爪には、その係合爪が前記施錠位置から解錠方向に回動する際、他方の枠を開方向に押圧可能な押圧部が設けられていることを特徴とする。
【０００７】
本発明によると、係合爪には、その係合爪が施錠位置から解錠方向に回動する際、他方の枠を開方向に押圧するための押圧部が設けられている。即ち、係合爪が押出し機構を兼用するため、押出し機構を特別に設ける必要がなくなる。したがって、施錠装置の構造が簡素化し、コスト低減を図ることができる。
【０００８】
また、請求項２の発明によると、他方の枠に装着されている被係合具には、係合爪の押圧部によって押圧される受け部が突出形成されている。このため、係合爪の押圧部が他方の枠に直接当たることがなく、他方の枠の傷付き等を防止できる。また、受け部が突出形成されているため、係合爪の押圧部が受け部を押圧する際、一方の枠からのその押圧部の突出量を少なくできる。
【０００９】
また、請求項３の発明によると、係合爪は、被係合具との係合が解除されてから、さらに解錠方向に回動可能な構成であり、前記係合爪の押圧部は、その係合爪と被係合具との係合が解除されてから、前記係合爪が解錠方向に回動する際に、他方の枠を開方向に押圧する構成である。このため、係合爪の回動力をそのまま他方の枠の開方向押圧力として利用できる。
【００１０】
【発明の実施の形態】
以下、図１から図６に基づいて本発明の実施形態１に係るパチンコ機の施錠装置について説明する。ここで、図１（Ａ）はパチンコ機の施錠装置の係合爪の側面図、図１（Ｂ）は前記施錠装置の上部拡大側面図である。図２、図３は前記施錠装置の動作を表す側面図、図４、図５は係合爪の変更例を表す側面図等である。また、図６は実施形態１に係るパチンコ機の全体斜視図である。
【００１１】
図６に示すように、パチンコ機１は略方形枠状に形成されて本体ケースとなる機台枠２を備えている。機台枠２の前面側には、ヒンジ（図示せず）を介して遊技盤等の支持枠３（以下、表枠３という）が片開き状に取付けられている。また、表枠３の前面には略中央よりも上側にヒンジを介して片開き状にガラス枠５が取付けられており、このガラス枠５の下側に同じくヒンジを介して片開き状に前板６が取付けられている。
【００１２】
表枠３の回動自由端側裏面には、その表枠３に対するガラス枠５の施錠及び機台枠２に対する表枠３の施錠を行うための施錠装置１０（図１等参照）が取付けられている。なお、図１〜図３には、施錠装置１０の上部のみが記載されており、中央部及び下部は省略されている。また、図１〜図３には、機台枠２に対する表枠３の施錠装置は省略されている。
施錠装置１０は、図１（Ｂ）に示すように、固定基枠１６、上下一対の係合爪２０、可動錠板４０及び上下一対の被係合具３０等から構成されている。
固定基枠１６は、その施錠装置１０を表枠３に固定するための部材であり、取付片１７とスライド保持片１８とにより平断面略Ｌ字形に形成されている。
【００１３】
固定基枠１６の取付片１７の上下所定位置には、スライド保持片１８との接合部分にスリット状の開口１１７（図１（Ｃ）参照）が形成されており、これらの開口１１７に各々の係合爪２０の横爪部２２及び押圧部２４が通されるようになっている。このため、係合爪２０の横爪部２２及び押圧部２４は、図１、図２等に示すように、スリット状の開口１１７を通って表枠３の表面から突出可能になる。
開口１１７は、係合爪２０の横爪部２２及び押圧部２４等が通されるスリット本体部１１７ｓと、その横爪部２２の後記する傾斜面２２ｆが通される幅広部１１７ｒとから略「凸」字形状に形成されている。
また、固定基枠１６のスライド保持片１８の上部中央及び下部中央には、係合爪２０を回動可能に支持するための連結ピン１８ｐが取付けられている。
【００１４】
上下の係合爪２０は、図１（Ａ）に示すように、横爪部２２と縦部２３とによって略逆Ｌ字形に形成されている。横爪部２２の先端部分は先細状に形成されており、その下側に略コ字形の切欠き部２２ｋが形成されている。さらに、横爪部２２の下側には、切欠き部２２ｋよりも先端側に傾斜面２２ｆが形成されている。ここで、傾斜面２２ｆは、横爪部２２の下側端縁を一定幅で約90°折り曲げることにより形成される。
【００１５】
係合爪２０の横爪部２２と縦部２３とのほぼ境界部分には、固定基枠１６のスライド保持片１８に取付けられた連結ピン１８ｐが通される連結孔２３ｈが形成されている。さらに、連結孔２３ｈの斜め上方外側には、後記する可動錠板４０の上部連結ピン４２及び下部連結ピン（図示されていない）が通される錠板連結孔２３ｘが形成されている。
また、係合爪２０の縦部２３の下部には、押圧部２４が横爪部２２と同方向に突出形成されている。押圧部２４は、係合爪２０が解錠方向（右方向）に回動する際に表枠３の表面から突出して、ガラス枠５を開方向に押圧する部位であり、略三角形状に形成されている。
【００１６】
施錠装置１０の可動錠板４０は、図示されていないシリンダ錠の解錠方向の動作を上下の係合爪２０に伝える錠板であり、固定基枠１６のスライド保持片１８に沿ってスライド可能に構成されている。可動錠板４０は、その上端部及び下端部が上部連結ピン４２及び前記下部連結ピンによってそれぞれの係合爪２０の錠板連結孔２３ｘに連結されている。また、可動錠板４０の略中央部分が（図示されていない）がシリンダ錠と係合可能に構成されている。これによって、前記シリンダ錠が解錠方向にキー操作されることにより、可動錠板４０はそのシリンダ錠の回動力を受けて下方向にスライドする。この結果、上下の係合爪２０は連結ピン１８ｐを中心に右回り（解錠方向）に回動するようになる。
【００１７】
また、可動錠板４０の上部にはバネ受け４４が形成されており、このバネ受け４４にバネ４６の一端が掛けられている。バネ４６は、可動錠板４０を引き上げる方向に付勢されており、そのバネ４６の他端が固定基枠１６のバネ受け１７ｘに掛けられている。この構造により、可動錠板４０は、シリンダ錠の回動力を受けていないときはバネ４６の力で上限位置まで引き上げられている。可動錠板４０が上方にスライドすると、上下の係合爪２０は連結ピン１８ｐを中心に左回りに回動し、その可動錠板４０が上限位置に到達した段階で係合爪２０の横爪部２２はほぼ水平に保持されて、ガラス枠５側の被係合具３０に掛けられる。
即ち、可動錠板４０の上限位置、及び係合爪２０の横爪部２２のほぼ水平位置が施錠位置に相当する。また、前記シリンダ錠が本発明の錠本体に相当する。
【００１８】
施錠装置１０の被係合具３０は上下の係合爪２０に対応してガラス枠５の裏面の上下所定位置に固定されている。被係合具３０は、係合爪２０の横爪部２２の切欠き部２２ｋが掛けられる鉤部３３と、その係合爪２０の押圧部２４が当接する受け部３４とから構成されている。被係合具３０の鉤部３３は側面略Ｕ字形に形成されており、係合爪２０の横爪部２２が上方から掛けられるように構成されている。また、被係合具３０の受け部３４は鉤部３３の下側でガラス枠５の裏面から一定寸法だけ突出しており、係合爪２０の押圧部２４が当接する部分が凸球面状に形成されている。
【００１９】
次に、図２、図３に基づいて、上記した施錠装置１０の動作を説明する。
先ず、図２（Ａ）〜（Ｅ）に基づいて、施錠状態のガラス枠５を解錠する様子を説明する。ここで、ガラス枠５が閉じられている状態では、そのガラス枠５の裏面から表枠の表面までの寸法はＬmmに設定されている（図２（Ａ）〜（Ｃ）参照）。
ガラス枠５の解錠は、図示されていないシリンダ錠が解錠方向にキー操作されることにより行われる。これによって、可動錠板４０がシリンダ錠の回動力を受け、バネ４６の力に抗して下方向にスライドする。可動錠板４０が下方向にスライドすると、その可動錠板４０に連結されている係合爪２０が連結ピン１８ｐを中心に右回り（解錠方向）に回動する（図２（Ｂ）参照）。
【００２０】
これによって、各々の係合爪２０の横爪部２２の切欠き部２２ｋが各々の被係合具３０の鉤部３３から徐々に外れるとともに、その係合爪２０の押圧部２４が徐々に表枠３の表面から突出する。そして、図２（Ｃ）に示すように、係合爪２０の横爪部２２の切欠き部２２ｋが被係合具３０の鉤部３３から完全に外れた状態で、その係合爪２０の押圧部２４が被係合具３０の受け部３４に当接する。ここで、係合爪２０の押圧部２４が被係合具３０の受け部３４に当接した段階では、その押圧部２４が被係合具３０を押圧していないため、ガラス枠５は閉じられたままである。
【００２１】
ガラス枠５の解錠時には、可動錠板４０はこの位置からさらに下方にスライドするため、係合爪２０はさらに右回り（解錠方向）に回動する。これによって、係合爪２０の押圧部２４が表枠３の表面からさらに突出し、その押圧部２４の先端が被係合具３０の受け部３４をガラス枠５の開方向に押圧する。そして、シリンダ錠が解錠限界までキー操作された状態で、係合爪２０の押圧部２４は被係合具３０の受け部３４をほぼ寸法Ｌｐだけガラス枠５の開方向に押圧するようになる（図２（Ｄ）、（Ｅ）参照）。
【００２２】
このように、上下の係合爪２０の押圧部２４が被係合具３０の受け部３４を押圧するため、ガラス枠５は開方向に移動する。この状態で、キーから手を離すと、バネの力で可動錠板４０は上限位置まで戻り、上下の係合爪２０は左方向に回動して施錠位置に戻される。このとき、バネ４６の力で可動錠板４０が素早く上限位置（施錠位置）まで戻ったとしても、ガラス枠５が開方向に移動しているため、係合爪２０の切欠き部２２ｋが再び被係合具３０の鉤部３３に掛かるような不具合が生じない。この状態で、ガラス枠５を自由に開放することが可能になる。
【００２３】
次に、図３（Ａ）〜（Ｄ）に基づいて、解錠状態のガラス枠５を施錠する様子を説明する。
ガラス枠５が解錠された後は、前述のように、係合爪２０及び可動錠板４０はバネ４６の働きで施錠位置に保持されている。この状態で、ガラス枠５が閉じられると、図３（Ａ）に示すように、そのガラス枠５の裏面に固定された被係合具３０の鉤部３３が係合爪２０の横爪部２２の傾斜部２２ｆに当接する。この状態からさらにガラス枠５が閉じられると、被係合具３０の鉤部３３の先端が係合爪２０の傾斜部２２ｆを押圧しながら摺動する。
【００２４】
そして、被係合具３０の鉤部３３の先端が係合爪２０の傾斜部２２ｆを摺動している間、その係合爪２０がバネ４６の力に抗して右回り（解錠方向）に回動する（図３（Ｂ）参照）。このようにして、被係合具３０の鉤部３３が係合爪２０の傾斜部２２ｆを通り過ぎて切欠き部２２ｋまで到達すると、係合爪２０がバネ４６の力で左回りに回動し、その係合爪２０の切欠き部２２ｋと被係合具３０の鉤部３３とが係合する（図３（Ｃ）（Ｄ）参照）。この状態で、ガラス枠５の施錠が終了する。
【００２５】
ここで、図３（Ｃ）等に示すように、係合爪２０が右回りに回動する際、その係合爪２０の押圧部２４が表枠３の表面から突出する。しかし、係合爪２０の押圧部２４は被係合具３０の受け部３４に当接しないため、その押圧部２４によってガラス枠５の閉じ動作が妨げられることがない。このため、ガラス枠５の施錠はスムーズに行われる。
即ち、上記した表枠３が本発明の一方の枠に相当し、ガラス枠５が本発明の他方の枠に相当する。
【００２６】
このように、本実施形態に係る施錠装置１０によると、係合爪２０には、その係合爪２０が施錠位置から解錠方向に回動する際、ガラス枠５を開方向に押圧するための押圧部２４が設けられている。即ち、係合爪２０が押出し機構を兼用するため、押出し機構を特別に設ける必要がなくなる。したがって、施錠装置１０の構造が簡素化し、コスト低減を図ることができる。
【００２７】
また、ガラス枠５に装着されている被係合具３０には、係合爪２０の押圧部２４によって押圧される受け部３４が突出形成されている。このため、係合爪２０の押圧部２４がガラス枠５の裏面に直接当たることがなく、ガラス枠５の傷付き等を防止できる。また、受け部３４が突出形成されているため、表枠３の表面からの係合爪２０の押圧部２４の突出量を少なくできる。
【００２８】
また、係合爪２０は、被係合具３０との係合が解除されてから、さらに解錠方向に回動可能な構成であり、係合爪２０の押圧部２４は、その係合爪２０と被係合具３０との係合が解除されてから、係合爪２０が解錠方向に回動する際に、ガラス枠５を開方向に押圧する構成である。このため、係合爪２０の回動力をそのままガラス枠５の開方向押圧力として利用できる。
【００２９】
なお、本実施形態では、表枠３を一方の枠、ガラス枠５を他方の枠としてガラス枠５の施錠装置１０について説明を行ったが、表枠３を一方の枠、機台枠２を他方の枠として表枠３の施錠装置に本発明を応用することも可能である。
また、本実施形態では、被係合具３０の受け部３４をガラス枠５の裏面から一定寸法だけ突出させる例を示したが、係合爪２０の押圧部２４の突出量を大きく設定すれば、受け部３４の突出量を抑えることができる。
【００３０】
また、本実施形態では、係合爪２０の押圧部２４を略三角形状に形成する例を示したが、図４に示すように、係合爪５０の押圧部５４を略半円形に成形しても良い。また、係合爪５０の縦部５３に切欠き部５３ｃを形成し、他の部材との干渉を避けるようにすることも可能である。
【００３１】
また、図５に示すように、係合爪６０の押圧部６４を略半円形に成形した状態で、縦部６３を短く形成することも可能である。さらに、係合爪６０の横爪部６２の下側に回動ストッパー６２ｓを形成することも可能である。また、可動錠板４０の角部をすべて面取りして不正解錠用工具が掛かり難くすれば、防犯性が向上する。なお、図５（Ｃ）には、可動錠板４０は省略されている。
ここで、本実施形態では、施錠装置１０の上下の係合爪２０，５０の両方に押圧部２４，５４を形成する例を示したが、上側あるいは下側のいずれか一方の係合爪２０，５０に押圧部２４，５４を形成することも可能である。
【００３２】
【発明の効果】
本発明によると、係合爪が押出し機構を兼用するため、押出し機構を特別に設ける必要がなくなる。このため、施錠装置の構造が簡素化し、コスト低減を図ることができる。
【図面の簡単な説明】
【図１】本発明の実施形態１に係るパチンコ機の施錠装置の係合爪の側面図（Ａ図）、前記施錠装置の上部拡大側面図（Ｂ図）及び上部拡大正面図（Ｃ図）である。
【図２】施錠装置の解錠動作を表す側面図（Ａ図〜Ｅ図）である。
【図３】施錠装置の施錠動作を表す側面図（Ａ図〜Ｄ図）である。
【図４】係合爪の変更例を表す側面図（Ａ図）及び施錠装置の上部拡大側面図（Ｂ図）である。
【図５】係合爪の変更例を表す側面図（Ａ図）、施錠装置の上部拡大側面図（Ｂ図）及び上部拡大正面図（Ｃ図）である。
【図６】パチンコ機の全体斜視図である。
【図７】従来の施錠装置を表す側面図（Ａ図）及び押出し機構の動作図（Ｂ図）である。
【図８】従来の押出し機構の動作図である。
【符号の説明】
２      機台枠
３      表枠（一方の枠）
５      ガラス枠（他方の枠）
２０    係合爪
２４    押圧部
３０    被係合具
３４    受け部
４０    可動錠板
【図１】
2004194811.tif 000003
【図２】
2004194811.tif 000004
【図３】
2004194811.tif 000005
【図４】
2004194811.tif 000006
【図５】
2004194811.tif 000007
【図６】
2004194811.tif 000008
【図７】
2004194811.tif 000009
【図８】
2004194811.tif 000010